(57)【要約】【課題】  自動便器洗浄ができる便器に形状、色、形態の異なる種々の便座装置を選択して取付けることができる。便座装置の着座・離座検出手段の検出結果により自動便器洗浄ができるにもかかわらず、施工時に便座装置側と便器側とを配線で接続する工事が必要でない。掃除が簡単にできる。制御部が絶縁構造である必要がなく構造を簡略化できる。【解決手段】  便器洗浄手段１を備えた便器２と、上記便器２に取付けられる便座装置３とよりなる便器装置である。便座装置３に着座・離座検出手段４を設ける。便座装置３に着座・離座検出手段４で検出した着座・離座情報を送信する送信手段５を設ける。便器２側に上記送信手段５から送信された信号を受信する受信手段６と、受信した信号に基づいて便器洗浄手段１により便器洗浄を行うように制御するための便器側制御部７を設ける。【選択図】        図１
2006177052.tif 000002
【特許請求の範囲】
【請求項１】
便器洗浄手段を備えた便器と、上記便器に取付けられる便座装置とよりなる便器装置であって、便座装置に着座・離座検出手段を設け、便座装置に着座・離座検出手段で検出した着座・離座情報を無線信号で送信する送信手段を設け、便器側に上記送信された無線信号を受信する受信手段と、受信した信号に基づいて便器洗浄手段により便器洗浄を行うように制御するための便器側制御部を設けて成ることを特徴とする便器装置。
【請求項２】
送信手段から送信される無線信号が赤外線信号であることを特徴とする請求項１記載の便器装置。
【請求項３】
便座装置に少なくとも人体の局部を洗浄するための局部洗浄手段を含む便座側機能部を設け、便座装置に着座・離座検出手段で検出した結果に基づいて便座側機能部を制御する便座側制御部を設けて成ることを特徴とする請求項１記載の便器装置。
【請求項４】
便器洗浄手段を制御するための便器側リモコン装置を設けると共に該便器側リモコン装置からのリモコン信号を受信するための便器側リモコン信号受信部を便器に設け、便座側機能部を制御するための便座側リモコン装置を設けると共に該便座側リモコン装置からのリモコン信号を受信するための便座側リモコン信号受信部を便座装置に設け、便器側リモコン装置と、便座側リモコン装置とを別体として成ることを特徴とする請求項２記載の便器装置。
【発明の詳細な説明】
【技術分野】
【０００１】
本発明は、自動便器洗浄機能を備えた便器装置に関するものである。
【背景技術】
【０００２】
従来から便器洗浄手段と、便座装置とを備えた便器装置が特許文献１により知られている。この特許文献１に示される従来例にあっては、便器洗浄手段と、便座装置とが一つの装置ブロックとして便器に組み込まれており、この一つの装置ブロックに着座・離座検出手段を設けると共に制御部を設け、着座・離座検出手段による着座・離座を検出し、この検出結果に基づいて制御部により局部洗浄手段の制御と便器洗浄手段の制御をおこなっている。
【０００３】
上記特許文献１に示された従来例にあっては、便器洗浄手段と、便座装置とが一つの装置ブロックとして便器に組み込まれているため、便座装置のみを形状や色や機能の異なる他の便座装置と交換しようとしても不可能であり、多様な顧客のニーズに対応できないという問題がある。また、便座装置は汚れやすいので取り外して掃除したりする場合、上記のような一体型のものは便座装置部分を取り外して簡単に掃除することができないという問題があり、更に、長期間の使用中に便座装置部分が損傷したりしやすいが、この場合でも便座装置部分のみを交換するということができず、局部洗浄手段と便器洗浄手段とが備わっている装置ブロック全体を交換する必要があり、交換に要するコストが高くなってしまうという問題がある。
【０００４】
そこで、便器洗浄手段を備えた便器に、これとは別体の着座・離座検出手段を備えた便座装置を取付け、便座装置側と便器洗浄手段を備えた便器側とを配線で接続し、便座装置に設けた着座・離座検出手段により検出したデータに基づき便器側に設けた便器洗浄手段を制御することが考えられるが、この場合、便座装置側と便器洗浄手段を備えた便器側とを配線で接続してあるので、施工時に、便座装置側と便器洗浄手段を備えた便器側とを配線で接続する作業が必要であり、また、掃除をする際、上記接続するための配線が邪魔になるという問題があり、更に、水を使用するという便器装置の性質上、上記接続のための配線を伝って水が制御部に浸入するおそれあるので、制御部が絶縁構造でなければ有線化できないものであり、配線の接続部分を含めて防水構造が複雑となるという問題がある。更に、便座装置の保守、点検や掃除の際に便座装置を取り外して便座装置を動かしたり、床に置いたりした場合、便座装置側に設けた着座・離座検出手段が誤って操作されることがあり、この場合、便座装置側と便器洗浄手段を備えた便器側とを配線で接続してあるので、誤った着座・離座検出結果に基づいて便座洗浄手段により誤って便器洗浄をしてしまうという問題がある。
【特許文献１】特開平９−１９５３５６号公報
【発明の開示】
【発明が解決しようとする課題】
【０００５】
本発明は上記の従来の問題点に鑑みて発明したものであって、便器洗浄手段を備えた便器に形状、色、形態の異なる種々の便座装置を選択して取付けることが可能となり、しかも、便座装置に設けた着座・離座検出手段による検出結果に基づいて自動便器洗浄ができるようにしたにもかかわらず、施工時に便座装置側と便器側とを配線で接続する工事が必要でなく、また、掃除の際に配線が邪魔にならず簡単に掃除ができ、更に、制御部が絶縁構造である必要がなく、制御部の構造を簡略化することも可能となり、更に、保守、点検や掃除のために便座装置を便器から取り外した際に着座・離座検出手段により誤った着座・離座検出が行われたとしても、誤った着座・離座検出結果に基づいて便座洗浄手段により誤って便器洗浄をすることがなく、また、便座装置に関係なく便器洗浄の制御のみを独立しておこなったり、便器洗浄に関係なく便座側機能部の制御のみを独立して行うことも可能となる便器装置を提供することを課題とするものである。
【課題を解決するための手段】
【０００６】
上記課題を解決するために本発明に係る便器装置は、便器洗浄手段１を備えた便器２と、上記便器２に取付けられる便座装置３とよりなる便器装置であって、便座装置３に着座・離座検出手段４を設け、便座装置３に着座・離座検出手段４で検出した着座・離座情報を無線信号として送信する送信手段５を設け、便器２側に上記送信手段５から送信された無線信号を受信する受信手段６と、受信した信号に基づいて便器洗浄手段１により便器洗浄を行うように制御するための便器側制御部７を設けて成ることを特徴とするものである。
【０００７】
このような構成とすることで、便座装置３に設けた着座・離座検出手段４で検出した着座・離座情報に基づいて便器洗浄手段１を制御して便器洗浄を自動的に行うことができるものにおいて、現場施工の際に便器洗浄手段１を備えた便器２側と、着座・離座検出手段４を備えた便座装置３側とを配線で接続する工事が必要でなく、便器２に便座装置３を取付けるのみでよくて現場施工が簡略化でき、また、配線が邪魔になって掃除がし難いというようなことがなく、また、配線で接続してないので、便座装置３を掃除する際、便座装置３を便器２から取り外して掃除することもできていっそう掃除が容易にできるものであり、更に、便器洗浄手段１を備えた便器２に、形状、色、形態の異なる便座装置３を選択的に取付けることができ、便座装置３を選択することで顧客の多様な要望に対応できる自動便器洗浄機能のある便器装置を提供できるものであり、また、便座装置３が故障したり、損傷した場合でも、便座装置３のみを取り外して点検、修理ができ、また、別な便座装置３と交換することもできる。また、便座装置３に設けた送信手段５から送信した無線信号を便器２側に設けた受信手段６で受信するものであるから、制御部が絶縁構造である必要がなく、制御部の構造を簡略化することも可能となる。
【０００８】
また、送信手段５から送信される無線信号が赤外線信号であることが好ましい。
【０００９】
このように送信手段５から送信される信号を赤外線信号とすることで、便座装置３の保守、点検や掃除のために便座装置３を便器２から取り外した際に、便座装置３を移動したり、床等に置いたり、触ったりして着座・離座検出手段４により誤った着座・離座検出が行われて送信手段５から赤外線信号が送信されたとしても、便座装置３を外すことで送信手段５と受信手段６とが向かい合っていないため受信手段６で赤外線信号が受信されず、この結果、誤った着座・離座検出結果に基づいて便座洗浄手段１により誤って便器洗浄をすることがないものである。
【００１０】
また、便座装置３に少なくとも人体の局部を洗浄するための局部洗浄手段８ａを含む便座側機能部８を設け、便座装置３に着座・離座検出手段４で検出した結果に基づいて便座側機能部８を制御する便座側制御部９を設けることが好ましい。
【００１１】
このような構成とすることで、便座装置３に設けた着座・離座検出手段４で検出した着座・離座情報に基づいて便器２に備えた便器洗浄手段１の制御と、便座装置３に備えた便座側機能部８の制御とを行うことができ、検出手段を共用化できて構成の簡略化が可能となる。
【００１２】
また、便器洗浄手段１を制御するための便器側リモコン装置１０を設けると共に該便器側リモコン装置１０からのリモコン信号を受信するための便器側リモコン信号受信部１１を便器２に設け、便座側機能部８を制御するための便座側リモコン装置１２を設けると共に該便座側リモコン装置１２からのリモコン信号を受信するための便座側リモコン信号受信部１３を便座装置３に設け、便器側リモコン装置１０と、便座側リモコン装置１２とを別体とすることが好ましい。
【００１３】
このような構成とすることで、便器側リモコン装置１０と、便座側リモコン装置１２とを個々に制御することで、着座、離座に関係なく便器洗浄の制御のみを独立しておこなったり、便器洗浄に関係なく便座側機能部８の制御のみを独立して行うことも可能となる。また、例えば、着座・離座検出手段４が故障したり、あるいは着座・離座検出手段４を有しない便座装置３を便器２に取付けた場合であっても便器側リモコン装置１０を操作して便器洗浄ができるものである。
【発明の効果】
【００１４】
本発明は、着座・離座検出手段による検出結果に基づいて自動的に便器を洗浄することができる便器に、形状、色、形態の異なる種々の便座装置を選択して取付けることが可能となって顧客の多様な要望に対応できる。また、便座装置に設けた着座・離座検出手段による検出結果に基づいて自動便器洗浄ができるようにしたにもかかわらず、施工時に便座装置側と便器側とを配線で接続する工事が必要でなくて、現場における作業が簡略化でき、また、掃除の際に配線が邪魔にならず簡単に掃除ができ、更に、制御部が絶縁構造である必要がなくて制御部の構造を簡略化することも可能となる。
【発明を実施するための最良の形態】
【００１５】
以下、本発明を添付図面に示す実施形態に基いて説明する。
【００１６】
便器２はボウル部１５を水で洗浄するための便器洗浄手段１を備えた水洗便器である。添付図面に示す実施形態では図１に示すように便器２の後部の内部にターントラップブロック１６を内装し、便器２の後部のターントラップブロック１６を配設した部分の上方位置には便器制御部ケース２１が設けてあり、更に、便器２には便器洗浄用管路１８が設けてあって、該便器洗浄用管路１８の一端が水道管のような水供給管２５に止水栓２０を介して接続してある。
【００１７】
ターントラップブロック１６のケース内には図７に示すような変形性を有する材料で形成した可動自在なターントラップ１７が設けてあり、ターントラップ１７の一端部がボウル部１５の出口２６に接続してある。ターントラップ１７はターントラップブロック１６のケース外面側に設けた駆動モータ１９によりターントラップ１７の他端が上を向く姿勢と下を向く姿勢との間で可動自在となっている。
【００１８】
また、便器２の後部の上面側に設けた便器制御部ケース２１内には図２に示すように、便器洗浄用配管１８の途中に便器洗浄弁２２を設けると共に該便器洗浄弁２２及び上記駆動モータ１９を制御するための便器側制御部７が設けてあり、本発明においては、上記便器洗浄弁２２、ターントラップ１７を駆動する駆動モータ１９によりボウル部１５を水で洗浄するための便器洗浄手段１が構成してある。また、便器制御部ケース２１内には赤外線信号のような無線信号の受信手段６が設けてあり、更に、図３に示すように上記受信手段６とは別の便器側リモコン信号受信部１１が設けてある。
【００１９】
図２、図３、図４に示すように、便器制御部ケース２１は便器２の後部上面に取付けられる下部ケース２１ａと、下部ケース２１ａに着脱自在に取付けられる上部ケース２１ｂとで構成してある。下部ケース２１ａに、上記便器洗浄弁２２、便器側制御部７、受信手段６、便器側リモコン信号受信部１１が取付けてあり、上部ケース２１ｂを下部ケース２１ａに取付けることで、これら便器洗浄弁２２、便器側制御部７、受信手段６、便器側リモコン信号受信部１１を覆うようになっている。
【００２０】
図５（ａ）に示すように、下部ケース２１ａは前端部を便器２に固定したＬ状をした固定金具５１に取付けねじ５０により取付けてあり、更に、上部ケース２１ｂの前端部の係止部５２が下部ケース２１ａの前端部の被係止部５３係止してあり、この係止部５２と被係止部５３の係止は係止部５２の下端に設けた指掛け部５４を前方に引くことで係止解除ができるようになっている。
【００２１】
図１に示すように便器制御部ケース２１の前部の下部には受信手段６と前後に対向する位置に受信側窓３０が設けてあり、便器制御部ケース２１の前部の上部は前方に向けて突出した張り出し部３１となっており、張り出し部３１の下方が凹段部３２となっており、図４に示すように該凹段部３２の奥に上記受信側窓３０が設けてあり、更に凹段部３２の奥に取付けねじ５０の頭部が露出している。
【００２２】
便器２の後部上面の上記便器制御部ケース２１を設けた部分より前位置の中央部には便座固定金具３３が取付けてある。この便座固定金具３３は上記のように便器制御部ケース２１を便器２の後部上面に取付けた後に便器２に取付けられるものであり、この便座固定金具３３の取付けに当たっては便器制御部ケース２１を基準にして前後方向の位置調整をして取付けるようになっている。
【００２３】
図４、図６に示すように、便座固定金具３３には前後方向に長くなったガイドレール３４ａと、被係合部３４ｂとが設けてある。
【００２４】
便座装置３は装置の主体を構成する便座制御部ケース３５に便座３６と、便蓋３７とを回動自在に取付けて構成してある。
【００２５】
便座制御部ケース３５内には図９の制御ブロック図に示すように、人体の局部を洗浄するための局部洗浄手段８ａ、人体の局部洗浄をした後に温風又は冷風により人体の局部を乾燥させるための乾燥手段８ｂ、便器２内の脱臭を行うための脱臭手段８ｃ等の便座側機能部８、便座側制御部９、送信手段５が設けてある。また、便座制御部ケース３５には操作部３８、便座側リモコン装置１２からのリモコン信号を受信するための便座側リモコン信号受信部１３が設けてある。更に、便座装置３には着座・離座検出手段４が設けてあり、この着座・離座検出手段４は例えば便座３６に設けてある。そして、操作部３８や便座側リモコン装置１２や着座・離座検出手段４からの信号が便座側制御部９に入力されることで便座側機能部８を制御するようになっている。上記送信手段５は赤外線信号のような無線信号を送信するためのものである。
【００２６】
便座制御部ケース３５の下面部には図６に示すように、前記便座固定金具３３に設けたガイドレール３４ａに前方より差し込まれる係合部材３９ａが設けてあり、この係合部材３９ａには係合部３９ｂが設けてある。また、便座制御部ケース３５の後端部の下部は後方に向けて突出した後方突出部４０となっており、この後方突出部４０の後方突出端面には図４に示すように送信手段５と前後方向に対向する位置に送信側窓４１が設けてある。
【００２７】
便座制御部ケース３５は便座側機能部８、便座側制御部９、送信手段５を取付ける下ケース３５ａとこれらを覆うようにして下ケース３５ａに取付けられる上ケース３５ｂとで構成してあり、図４、図５（ｂ）に示すように、上ケース３５ｂを下ケース３５ａに取付ける取付けねじ４２の頭部は上記後方突出部４０部分に位置している。
【００２８】
便座装置３を便器２に対して取付けるには便座装置３の下面部に設けた係合部材３９ａを便座固定金具３３に設けたガイドレール３４ａに前方から後方に向けてスライドして差し込んで係合部３９ｂを被係合部３４ｂに図６のように係合することで便座装置３を便器２に取付けるものである。なお、便座装置３の取外しに当たっては便座装置３を上方に持ち上げて係合部３９ｂと被係合部３４ｂとの係合を外した状態で便座装置３を前方に引き出すことで取り外すことができる。
【００２９】
このガイドレール３４ａ、被係合部３４ｂを有する便座固定金具３３の構成、係合部３９ｂを有する係合部材３９ａの構成はこの種の便座装置３の取付けに当たって公知のものであり、例えば特開２０００−１１６５７０号公報などにより従来から公知となっている技術を採用することができるので、詳細な説明は省略する。
【００３０】
便座装置３を便器２に取付けた状態で、便座装置３の便座制御部ケース３５の後面下部の後方突出部４０が便器２の後部上面に取付けてある便器制御部ケース２１の前部の下部の凹段部３２に嵌り込む。この状態で凹段部３２の奥面に設けた受信側窓３０と、後方突出部４０の後方突出端面に設けた送信側窓４１とが互いに近接対向し、送信側窓４１、受信側窓３０を介して便座制御部ケース３５内に設けた送信手段５と便器制御部ケース２１内に設けた受信手段６とが一直線状に対向し、送信手段５から送信された赤外線信号のような無線信号が受信手段６に正確に受信できるようになっている。つまり、本発明においては、送信手段５と受信手段６とにより非接触伝送手段を構成している。
【００３１】
この場合、送信手段５で赤外線信号を送信して受信手段６で該赤外線信号を受信するようにすると、上記のように便座装置３を便器２に取付けるだけで送信手段５と受信手段６とを一直線状に対向するように配置できて、送信手段５で送信した赤外線信号を受信手段６で正確に受信できることになる。また、後方突出部４０が凹段部３２に嵌まり込んで凹段部３２の奥面に設けた受信側窓３０と、後方突出部４０の後方突出端面の送信側窓４１とが互いに近接対向するので、外光などの外乱が受信側窓３０から受信手段６に入るのを防止でき、この点でも外乱に影響されることなく、正確に送信手段５から送信された赤外線信号を受信手段６で受信できると共に、受信手段６や送信手段５側に埃等が浸入しにくく、この点でも赤外線信号を正確に送信すると共に送信された赤外線信号を正確に受信できる。
【００３２】
また、取付けねじ５０の頭部、取付けねじ４２の頭部、上部ケース２１ｂの前端部の係止部５２と下部ケース２１ａの前端部の被係止部５３との係止部分、指掛け部５４がいずれも後方突出部４０と凹段部３２との嵌め込み部分に位置しているため、後方突出部４０と凹段部３２に嵌め込んだ状態では外部に露出せず、このため、便座装置３を便器２から取り外さない限り（つまり、便座装置３を便器２に対して前方に移動させ、係合部材３９ａをガイドレール３４ａに対して前方にスライドさせて外さない限り）、指掛け部５４に指を掛けて前方に引っ張ることで係止を解除して上部ケース２１ｂを下部ケース２１ａから取り外したり、あるいは取付けねじ５０を操作して下部ケース２１ａを便器２から取り外したり、あるいは取付けねじ４２を操作して上ケース３５ｂを下ケース３５ａから取り外したりすることができず、したがって、誤って、あるいはいたずらで上部ケース２１ｂを取り外して便器側制御部７を露出させたり、あるいは、上ケース３５ｂを取り外して便座側制御部９を露出させたりすることが無いようになっている。
【００３３】
便座装置３に設けた局部洗浄手段８ａの配管には図３に示すように水道管のような水供給管２５から洗浄水を供給するためのフレキシブル管２９が接続してある。
【００３４】
図９には上記構成の本発明の便器装置の制御ブロック図が示してある。この制御ブロック図に基づいて、以下、本発明の便器装置の制御動作につき説明する。
【００３５】
使用者が便座装置３の便座３６に着座すると、着座・離座検出手段４により着座が検出され、着座後離座すると離座が検出される。着座・離座検出手段４により着座、離座が検出されると、便座側制御部９に着座信号や離座信号が入力され、この着座信号や離座信号により便座側制御部９により複数の便座側機能部８のうち１又は複数が制御される。この場合、一例を挙げると、例えば、着座信号が入力されると便座側機能部８の一つである脱臭手段８ｃがオンとなって脱臭を開始し、その後、離座信号が入力されると、離座信号の入力後一定時間経過後に脱臭手段８ｃがオフとなるように制御される。また、着座信号が入力されると人体の局部を洗浄するための局部洗浄手段８ａの動作受け付け可能モードとなり、その後、離座信号が入力されると局部洗浄手段８ａの動作受け付け可能モードが終了するように制御されるものであり、便座制御部ケース３５に設けた操作部３８や便座側リモコン装置１２を操作して局部洗浄手段８ａをオンさせる信号を便座側制御部９に入力した場合、便座側制御部９により上記動作受け付け可能モードの間だけ（つまり着座している期間だけ）局部洗浄手段８ａを動作させるように制御し、上記動作受け付け可能モードでない時（つまり着座していない時）は局部洗浄手段８ａを動作させないようになっている。これにより着座していない時に誤って局部洗浄手段８ａが動作して温水のような洗浄水を誤噴出することがないようにしている。
【００３６】
更に、着座・離座検出手段４により着座、離座が検出されると送信手段５により赤外線信号のような信号が送信される。送信手段５から送信された着座信号や離座信号は便器制御部ケース２１内に設けた受信手段６で受信され、受信手段６で受信した信号は便器側制御部７に入力され、この入力された信号に基づいて便器側制御部７により便器洗浄手段１を制御してボウル部１５内に水を流して便器洗浄を行うものである。
【００３７】
ここで、例えば、着座・離座検出手段４で着座を検知してから所定時間（例えば１０秒）経過すると着座確定として、その後、離座した場合には離座信号が送信手段５から送信され、受信手段６でこれを受信すると便器側制御部７に設けたカウント手段によりカウントを開始し、カウントを開始してから一定時間（例えば１０秒）の間に着座信号を受信しない場合は上記一定時間（１０秒）経過後に便器洗浄手段１をオンとなるように制御して便器洗浄を行うものであり、便器側制御部７に設けたカウント手段によりカウントを開始してから一定時間（例えば１０秒）の間に着座信号を受信するとカウントを停止し、この場合はカウントを開始してから一定時間経過しないので便器洗浄手段１による便器洗浄は行わない。
【００３８】
図７には本実施形態における便器洗浄手段１による便器洗浄の動作の例を示し、図８にそのタイムチャートを示している（なお、図８における状態（ａ）乃至状態（ｆ）はそれぞれ図７の（ａ）乃至（ｆ）の状態を示している）。本実施形態においては、図７に示すように便器洗浄弁２２、ターントラップ１７を駆動する駆動モータ１９によりボウル部１５を水で洗浄するための便器洗浄手段１が構成してあり、図７（ｆ）は便器洗浄手段１がオフの状態、つまり、溜め水復帰状態（待機状態）であり、この状態ではターントラップ１７他端の開口部が上を向いてターントラップ１７及びボウル部１５内に水Ｗが溜まっている。この状態で便器洗浄手段１がオンとなって便器洗浄が開示されると、まず、便器洗浄弁２２が開となって図７（ａ）の矢印に示すように水Ｗがボウル部１５に流れ出す、次に、図７（ｂ）、図７（ｃ）のように駆動モータ１９を正転させてターントラップ１７の他端の開口が下を向くようにターントラップ１７を回動してボウル部１５及びターントラップ１７内に溜まっている水Ｗをターントラップ１７の他端から排出することで水Ｗと共に汚物を排出する。次に、駆動モータ１９を逆転させて図７（ｄ）のようにターントラップ１７を回動させてターントラップ１７の他端の開口が上を向くようにする。この間、便器洗浄弁２２が開となっていて図７（ｅ）のようにターントラップ１７の他端の開口部が上を向いた状態でもボウル部１５内に水Ｗが供給され、図７（ｆ）のように他端の開口部が上を向いたターントラップ１７及びボウル部１５内に水Ｗが溜まると便器洗浄弁２２が閉となり、図７（ｆ）の溜め水復帰状態（待機状態）になる。
【００３９】
上記のような本発明においては、便座装置３に設けた着座・離座検出手段４による検出情報に基づいて便器２に備えた便器洗浄手段１の制御をするに当たって、便座装置３側に送信手段５を設けて着座信号、離座信号を赤外線信号のような無線信号として送信し、この赤外線信号のような無線信号として送信された着座信号、離座信号を便器２側に設けた受信手段６で受信するという非接触伝送により信号の送受信を行っているので、現場施工の際に便器洗浄手段１を備えた便器２側と、着座・離座検出手段４を備えた便座装置３側とを配線で接続する工事が必要でなく、便器２に便座装置３を取付けるだけで、非接触伝送のための送信手段５と受信手段６とを対向させることができて現場施工が簡略化できるものである。
【００４０】
このように、便座装置３側の送信手段５と便器２側の受信手段６とを配線で接続する必要がないので、着座・離座検出手段４を備えた便座装置３として、形状、色、形態（機能）が異なる種々のものを用意し、顧客の好みの便座装置３を便器洗浄手段１を備えた便器２に取付けるとで、送信手段５から送信した着座信号や離座信号を受信手段６で受信して便器洗浄を行うことができる。また、便座装置３が故障したり、損傷した場合でも、便座装置３のみを取り外して点検、修理ができ、また、別な便座装置３と交換することもできる。また、便座装置３に設けた送信手段５から送信した赤外線のような無線信号を便器２側に設けた受信手段６で受信するものであるから、制御部が絶縁構造である必要がなく、制御部の構造を簡略化することも可能となる。
【００４１】
また、便座装置３を掃除する際に便座装置３側と便器２側とを接続する配線がないので配線に邪魔されることなく掃除ができることになる。特に、この種の便器装置においては汚物が付着したり小便がかかる等の理由で便座装置３が最も汚れ易く、利用者が便座装置３を便器２から外して掃除するのが一般的であるが、この場合、配線がないのでいっそう掃除が容易にできるものである。
【００４２】
ここで、送信手段５から送信する無線信号を赤外線信号とすることで、便座装置３の保守、点検や掃除のために便座装置３を便器２から取り外した際に、便座装置３を移動したり、床等に置いたり、触ったりして着座・離座検出手段により誤った着座・離座検出が行われて送信手段５から赤外線信号が送信されたとしても、便座装置３を外すことで送信手段５と受信手段６とが向かい合っていないため受信手段６で赤外線信号が受信されることがない。このため、便座装置３を外して掃除などをしている際に、誤った着座・離座検出結果に基づいて便座洗浄手段により誤って便器洗浄をすることがないことになる。
【００４３】
上記においては、便座装置３に設けた着座・離座検出手段４で検出した着座、離座信号に基づいて便器洗浄手段１を制御して便器２の洗浄を行っている例を示したが、これに加えて更に図９のように便器洗浄手段１を制御するための便器側リモコン装置１０を設け、この便器側リモコン装置１０を操作した場合も便器洗浄手段１を制御して便器２の洗浄を行うこともできる。
【００４４】
便器側リモコン装置１０からの信号は便器側リモコン信号受信部１１で受信され、便器側制御部７により便器洗浄手段１を制御して便器２を洗浄するようになっている。
【００４５】
便器側リモコン装置１０と便座側リモコン装置１２とは別体で別々のリモコン装置となっており、前述のように着座・離座検出手段４を備えた便座装置３として、形状、色、形態（機能）が異なる種々の便座装置３を便器２に取付けても、便座装置３側に関係なく便器側リモコン装置１０を操作することで便器洗浄を行うことができる。このため、便座側リモコン装置１２を有さない便座装置３を便器２に取付けることも可能となる。
【００４６】
なお、添付図面に示す実施形態では便器２にターントラップ１７を設けて封水をし、ターントラップ１７を駆動することで排水するようにした便器装置の例を示したが、ターントラップ１７を設けることなく、ロータンクを設けてロータンク内の排水口を開閉する便器洗浄弁２２を開としてロータンク内の水をボウル部１５に流して便器洗浄を行うもの、あるいは、水道直結式で、便器洗浄弁２２を開として水道水を直接ボウル部１５内に流して便器洗浄を行うものであってもよく、この場合には便器洗浄弁２２により便器洗浄手段１が構成される。
【図面の簡単な説明】
【００４７】
【図１】本発明の便器装置の断面図である。
【図２】同上の上部カバーを外した状態の平面図である。
【図３】同上の斜視図である。
【図４】同上の便器に便座装置を取付ける前の状態の斜視図である。
【図５】（ａ）は同上の便器制御部ケースの下部ケースを便器に取付けると共に下部ケースに上部ケースを係止により取付けている部分の断面図であり、（ｂ）は同上の便座制御部ケースの下ケースに上ケースを取付けている状態の分解斜視図である。
【図６】同上の便器に取付けた便座固定金具に便座装置を取付けている部分の断面図である。
【図７】（ａ）乃至（ｆ）は同上の洗浄手段による便器洗浄の動作順序を示す説明図である。
【図８】同上のタイムチャートである。
【図９】本発明の便器装置の制御ブロック図である。
【符号の説明】
【００４８】
１  便器洗浄手段
２  便器
３  便座装置
４  着座・離座検出手段
５  送信手段
６  受信手段
７  便器側制御部
８  便座側機能部
８ａ局部洗浄手段
９  便座側制御部
１０  便器側リモコン装置
１１  便器側リモコン信号受信部
１２  便座側リモコン装置
１３  便座側リモコン信号受信部
【図１】
2006177052.tif 000003
【図２】
2006177052.tif 000004
【図３】
2006177052.tif 000005
【図４】
2006177052.tif 000006
【図５】
2006177052.tif 000007
【図６】
2006177052.tif 000008
【図７】
2006177052.tif 000009
【図８】
2006177052.tif 000010
【図９】
2006177052.tif 000011